(57)【要約】【課題】映像ソース機器に対応した制御コマンドと互換性のある制御コマンドに対応していないプロジェクターであっても、映像ソース機器の制御コマンドによりプロジェクターを制御できるようにする。【解決手段】接続装置２００は、プロジェクター３００の複数の映像入力系統に対応して複数設けられた、携帯機器１００とのＩ／Ｆ部２１０と、データ変換部２２２と、を備える。データ変換部２２２は、Ｉ／Ｆ部２１０を介して携帯機器１００から受信した所定数のＣＢＵＳ制御コマンドを、所定数とは異なる数のプロジェクター対応コマンドに変換してプロジェクター３００に送信する。また、プロジェクター３００から受信した所定数のプロジェクター対応コマンドを、所定数とは異なる数のＣＢＵＳ制御コマンドに変換して、Ｉ／Ｆ部２１０を介して携帯機器１００に送信する。【選択図】図３
2015095773.tif 000002
【特許請求の範囲】
【請求項１】
複数の映像入力系統を備えるプロジェクターと、映像ソース機器とを接続する接続装置であって、
前記プロジェクターの前記複数の映像入力系統に対応して複数設けられた、前記映像ソース機器とのインターフェイスと、
前記インターフェイスを介して前記映像ソース機器から受信した、前記映像ソース機器が対応可能な制御コマンドである所定数の第１制御コマンドを、前記プロジェクターが対応可能な制御コマンドであって前記所定数とは異なる数の第２制御コマンドに変換して前記プロジェクターに送信し、前記プロジェクターから受信した所定数の前記第２制御コマンドを、前記所定数とは異なる数の前記第１制御コマンドに変換して、前記インターフェイスを介して前記映像ソース機器に送信するコマンド変換部と、を備えることを特徴とする接続装置。
【請求項２】
シリアル通信回線により前記プロジェクターに接続され、
前記コマンド変換部は、前記シリアル通信回線を介して前記プロジェクターと前記第２制御コマンドの送受信を行うことを特徴とする請求項１記載の接続装置。
【請求項３】
前記インターフェイスは、ＭＨＬ規格に準拠したインターフェイスであることを特徴とする請求項１又は２に記載の接続装置。
【請求項４】
複数の映像入力系統を備えるプロジェクターと、
映像データの送信元となる映像ソース機器と、
前記プロジェクターと前記映像ソース機器とを接続する接続装置とを備え、
前記接続装置は、
前記プロジェクターの前記複数の映像入力系統に対応して複数設けられた、前記映像ソース機器とのインターフェイスと、
前記インターフェイスを介して前記映像ソース機器から受信した、前記映像ソース機器が対応可能な制御コマンドである所定数の第１制御コマンドを、前記プロジェクターが対応可能な制御コマンドであって前記所定数とは異なる数の第２制御コマンドに変換して前記プロジェクターに送信し、前記プロジェクターから受信した所定数の前記第２制御コマンドを、前記所定数とは異なる数の前記第１制御コマンドに変換して、前記インターフェイスを介して前記映像ソース機器に送信するコマンド変換部と、を備えることを特徴とする画像表示システム。
【請求項５】
複数の映像入力系統を備えるプロジェクターと、映像ソース機器とを接続する接続方法であって、
インターフェイスを介して前記映像ソース機器から受信した、前記映像ソース機器が対応可能な制御コマンドである所定数の第１制御コマンドを、前記プロジェクターが対応可能な制御コマンドであって前記所定数とは異なる数の第２制御コマンドに変換して前記プロジェクターに送信する第１送信ステップと、
前記プロジェクターから受信した所定数の前記第２制御コマンドを、前記所定数とは異なる数の前記第１制御コマンドに変換して、前記インターフェイスを介して前記映像ソース機器に送信する第２送信ステップと、
を有することを特徴とする接続方法。
【発明の詳細な説明】
【技術分野】
【０００１】
本発明は、接続装置、画像表示システム、及び、接続方法に関する。
【背景技術】
【０００２】
近年、携帯機器向けの映像伝送用インターフェイスとして、ＭＨＬ（Mobile High-definition Link）（登録商標）規格が提案され、実用化が図られている。例えば、ＭＨＬ規格に準拠した映像ソース機器が持っている動画、静止画、音楽等のコンテンツを、同じくＭＨＬ規格に準拠した映像シンク機器に送って再生する技術が特許文献１に開示されている。
また、ＭＨＬ規格に準拠した映像ソース機器と、デジタル信号伝送の規格であるＨＤＭＩ（High-Definition Multimedia Interface）（登録商標）規格に準拠した映像シンク機器との間でデータを送受信する技術も開示されている（例えば、特許文献２参照）。特許文献２には、ＭＨＬ準拠の映像ソース機器から送信されるＣＢＵＳ制御コマンドと、ＨＤＭＩ準拠の映像シンク機器から送信されるＣＥＣ（Consumer electric Control）制御コマンドとを相互に変換可能なＭＨＬ−ＨＤＭＩ変換ケーブルが開示されている。ＣＢＵＳ制御コマンドとＣＥＣ制御コマンドとは、相互に互換性のあるコマンドである。
【先行技術文献】
【特許文献】
【０００３】
【特許文献１】特開２０１２−１６９７０２号公報
【特許文献２】特開２０１２−２４３２４７号公報
【発明の概要】
【発明が解決しようとする課題】
【０００４】
しかしながら、プロジェクターには、映像ソース機器に対応した制御コマンドと互換性のある制御コマンドに対応していない機器もあった。
本発明は、上記事情に鑑みてなされたものであり、映像ソース機器に対応した制御コマンドと互換性のある制御コマンドに対応していないプロジェクターであっても、映像ソース機器の制御コマンドにより制御できるようにすることを目的とする。
【課題を解決するための手段】
【０００５】
上記目的を達成するために、本発明の接続装置は、複数の映像入力系統を備えるプロジェクターと、映像ソース機器とを接続する接続装置であって、前記プロジェクターの前記複数の映像入力系統に対応して複数設けられた、前記映像ソース機器とのインターフェイスと、前記インターフェイスを介して前記映像ソース機器から受信した、前記映像ソース機器が対応可能な制御コマンドである所定数の第１制御コマンドを、前記プロジェクターが対応可能な制御コマンドであって前記所定数とは異なる数の第２制御コマンドに変換して前記プロジェクターに送信し、前記プロジェクターから受信した所定数の前記第２制御コマンドを、前記所定数とは異なる数の前記第１制御コマンドに変換して、前記インターフェイスを介して前記映像ソース機器に送信するコマンド変換部と、を備えることを特徴とする。
本発明によれば、映像ソース機器から送信される第１制御コマンドを、プロジェクターが対応可能な第２制御コマンドに変換してプロジェクターに送信することができる。また、プロジェクターから送信される第２制御コマンドを、映像ソース機器が対応可能な第１制御コマンドに変換して映像ソース機器に送信することができる。従って、プロジェクターが、映像ソース機器の制御コマンドである第１制御コマンドに対応していなくても、映像ソース機器は、第１制御コマンドによりプロジェクターを制御することができる。また、プロジェクターは、第２制御コマンドにより映像ソース機器を制御することができる。さらに、所定数の制御コマンドを所定数とは異なる数の制御コマンドに変換するので、例えば、複数の単純な機能を含む処理を指示する制御コマンドを複数の制御コマンドに変換することも、その逆の変換を行うことも可能である。このため、変換する双方の制御コマンドの機能に差異があっても、制御コマンドを正確に変換できる。
【０００６】
また、本発明は、上記接続装置において、前記シリアル通信回線により前記プロジェクターに接続され、前記コマンド変換部は、前記シリアル通信回線を介して前記プロジェクターと前記第２制御コマンドの送受信を行う。
本発明によれば、第２制御コマンドをシリアル通信回線によりプロジェクターに送信するので、プロジェクターに搭載された既存のインターフェイスにより第２制御コマンドの送受信を行うことが可能となる。また、シリアル通信回線を利用するため信号線の本数を削減することができる。
【０００７】
また、本発明は、上記接続装置において、前記インターフェイスは、ＭＨＬ規格に準拠したインターフェイスである。
本発明によれば、映像ソース機器としてスマートフォン等の携帯機器を用いることができ、携帯機器の映像データを、プロジェクターに送信して、スクリーンに表示することができる。
【０００８】
本発明の画像表示システムは、複数の映像入力系統を備えるプロジェクターと、映像データの送信元となる映像ソース機器と、前記プロジェクターと前記映像ソース機器とを接続する接続装置とを備え、前記接続装置は、前記プロジェクターの前記複数の映像入力系統に対応して複数設けられた、前記映像ソース機器とのインターフェイスと、前記インターフェイスを介して前記映像ソース機器から受信した、前記映像ソース機器が対応可能な制御コマンドである所定数の第１制御コマンドを、前記プロジェクターが対応可能な制御コマンドであって前記所定数とは異なる数の第２制御コマンドに変換して前記プロジェクターに送信し、前記プロジェクターから受信した所定数の前記第２制御コマンドを、前記所定数とは異なる数の前記第１制御コマンドに変換して、前記インターフェイスを介して前記映像ソース機器に送信するコマンド変換部と、を備えることを特徴とする。
本発明によれば、映像ソース機器から送信される第１制御コマンドを、プロジェクターが対応可能な第２制御コマンドに変換してプロジェクターに送信することができる。また、プロジェクターから送信される第２制御コマンドを、映像ソース機器が対応可能な第１制御コマンドに変換して映像ソース機器に送信することができる。従って、プロジェクターが、映像ソース機器の制御コマンドである第１制御コマンドに対応していなくても、映像ソース機器は、第１制御コマンドによりプロジェクターを制御することができる。また、プロジェクターが、第２制御コマンドにより映像ソース機器を制御することができる。さらに、所定数の制御コマンドを所定数とは異なる数の制御コマンドに変換するので、例えば、複数の単純な機能を含む処理を指示する制御コマンドを複数の制御コマンドに変換することも、その逆の変換を行うことも可能である。このため、変換する双方の制御コマンドの機能に差異があっても、制御コマンドを正確に変換できる。
【０００９】
本発明の接続方法は、複数の映像入力系統を備えるプロジェクターと、映像ソース機器とを接続する接続方法であって、インターフェイスを介して前記映像ソース機器から受信した、前記映像ソース機器が対応可能な制御コマンドである所定数の第１制御コマンドを、前記プロジェクターが対応可能な制御コマンドであって前記所定数とは異なる数の第２制御コマンドに変換して前記プロジェクターに送信する第１送信ステップと、前記プロジェクターから受信した所定数の前記第２制御コマンドを、前記所定数とは異なる数の前記第１制御コマンドに変換して、前記インターフェイスを介して前記映像ソース機器に送信する第２送信ステップと、を有することを特徴とする。
本発明によれば、映像ソース機器から送信される第１制御コマンドを、プロジェクターが対応可能な第２制御コマンドに変換してプロジェクターに送信することができる。また、プロジェクターから送信される第２制御コマンドを、映像ソース機器が対応可能な第１制御コマンドに変換して映像ソース機器に送信することができる。従って、プロジェクターが、映像ソース機器の制御コマンドである第１制御コマンドに対応していなくても、映像ソース機器は、第１制御コマンドによりプロジェクターを制御することができる。また、プロジェクターは、第２制御コマンドにより映像ソース機器を制御することができる。さらに、所定数の制御コマンドを所定数とは異なる数の制御コマンドに変換するので、例えば、複数の単純な機能を含む処理を指示する制御コマンドを複数の制御コマンドに変換することも、その逆の変換を行うことも可能である。このため、変換する双方の制御コマンドの機能に差異があっても、制御コマンドを正確に変換できる。
【発明の効果】
【００１０】
本発明によれば、映像ソース機器の制御コマンドと互換性のある制御コマンドに対応したインターフェイスを備えていないプロジェクターであっても、映像ソース機器の制御コマンドにより制御することができる。
【図面の簡単な説明】
【００１１】
【図１】画像表示システムの構成の一例を示す図である。
【図２】携帯機器の構成の一例を示す図である。
【図３】接続装置の構成の一例を示す図である。
【図４】分離処理部の処理フローを示すフローチャートである。
【図５】データ変換部の処理フローを示すフローチャートである。
【図６】プロジェクターの構成の一例を示す図である。
【発明を実施するための形態】
【００１２】
以下、図面を参照して本発明の実施形態について説明する。
図１に、本実施形態の画像表示システム１の構成の一例を示す。画像表示システム１は、携帯機器１００と、接続装置２００と、プロジェクター３００とを備える。なお、図１には、２台の携帯機器１００を接続装置２００に接続した場合を示すが、接続装置２００に接続可能な携帯機器１００の台数は２台に限定されない。
携帯機器１００と接続装置２００とは、ＭＨＬに対応した伝送ケーブル（以下、ＭＨＬケーブルという）１７０により接続されている。ＭＨＬケーブル１７０には、例えば、ＡＶ（Audio Visual）データの伝送を行うデータライン、制御コマンドの伝送を行うＣＢＵＳライン、電源ラインが含まれる。ＡＶデータは、映像データ、映像データ及び音声データ、又は、静止画データのいずれであってもよい。
接続装置２００とプロジェクター３００とは、ＨＤＭＩケーブル２５０とシリアル通信回線２６０とにより接続されている。ＨＤＭＩケーブル２５０は、ＡＶデータの送信に使用されるケーブルであり、例えば、ホットプラグ検出ライン、＋５Ｖ電源ライン、ＡＶデータライン等が含まれる。また、シリアル信号線は、制御コマンドの送受信に使用されるケーブルであり、例えば、ＲＳ−２３２Ｃを用いることができる。
【００１３】
次に、図２を参照しながら携帯機器１００について説明する。携帯機器１００は、画像表示システム１において、映像ソース機器として機能する。映像ソース機器とは、ＡＶデータの送信元すなわちソースとなる機器を意味する。携帯機器１００には、例えば、スマートフォンやタブレット端末を用いることができる。
携帯機器１００は、メモリー１１０と、制御部１２０と、通信部１３０と、表示部１４０と、操作部１５０と、音声出力部１６０とを備える。
【００１４】
メモリー１１０は、磁気的、光学的記憶媒体又は半導体記憶素子で構成される不揮発性記憶装置である。メモリー１１０には、制御部１２０が実行する制御プログラム１１５や、ＡＶデータが記録されている。
【００１５】
制御部１２０は、ハードウェアとして不図示のＣＰＵ（Central Processing Unit）、ＲＡＭ（Random Access Memory）を備え、携帯機器１００を制御する。
制御部１２０は、ＣＰＵ、ＲＡＭ等のハードウェアと、メモリー１１０に記録された制御プログラム１１５との協働によって、メモリー１１０に記録されたＡＶデータを再生する処理や、ＡＶデータをプロジェクター３００に送信する処理を実行する。ＡＶデータを再生する処理は、メモリー１１０からＡＶデータを読み出してデコードし、デコードした映像データを映像処理して表示部１４０に表示する処理である。また、ＡＶデータを再生する処理は、デコードした音声データを音声処理して音声出力部１６０から出力する処理である。ＡＶデータをプロジェクター３００に送信する処理は、メモリー１１０から読み出したＡＶデータ、又はこのＡＶデータをデコードしたデータに、プロジェクター３００を制御する制御コマンドを付加して、プロジェクター３００に送信する処理である。携帯機器１００は、制御コマンドとして、ＭＨＬ規格に準拠したコマンド（以下、ＣＢＵＳ制御コマンドという）を生成してプロジェクター３００に送信する。なお、ＣＢＵＳ制御コマンドが第１制御コマンドに相当する。
また、制御部１２０は、プロジェクター３００からＣＢＵＳ制御コマンドを受信して、受信したＣＢＵＳ制御コマンドに応じた処理を実行する。例えば、プロジェクター３００からＣＢＵＳ制御コマンドとして、ＡＶデータの再生を停止させる停止コマンドを受信した場合、再生中のＡＶデータの再生を停止する。
【００１６】
通信部１３０は、制御部１２０の制御により、ＡＶデータ、又はデコードした映像データ及び音声データを、ＭＨＬケーブル１７０を介して接続装置２００に送信する。また、通信部１３０は、接続装置２００から送信されるＣＢＵＳ制御コマンドを受信する。通信部１３０は、受信したＣＢＵＳ制御コマンドを制御部１２０に渡す。
【００１７】
表示部１４０には、制御部１２０の制御によりデコードされ、映像処理された映像データが表示される。操作部１５０は、ユーザーの操作入力を受け付けて、受け付けた操作情報を制御部１２０に渡す。音声出力部１６０は、制御部１２０の制御によりデコードされ音声処理された音声データが出力される。
【００１８】
次に、接続装置２００の構成について図３を参照しながら説明する。
接続装置２００は、複数のインターフェイス部２１０（以下、Ｉ／Ｆ部と略記する）と、複数の信号処理部２２０とを備える。Ｉ／Ｆ部２１０と信号処理部２２０とは、プロジェクター３００の映像入力系統、具体的には、入出力部３７０のＨＤＭＩ端子３７２に対応して複数設けられている。図３には、Ｉ／Ｆ部２１０として、Ｉ／Ｆ部２１０ＡとＩ／Ｆ部２１０Ｂとの２つを示し、信号処理部２２０として、信号処理部２２０Ａと信号処理部２２０Ｂとの２つを示す。但し、Ｉ／Ｆ部２１０と信号処理部２２０との数は、２つに限定されるものではなく、入出力部３７０のＨＤＭＩ端子３７２に対応してさらに複数設けてもよい。
なお、Ｉ／Ｆ部２１０ＡとＩ／Ｆ部２１０Ｂとは同一の構成を備え、信号処理部２２０Ａと信号処理部２２０Ｂも同一の構成を備えている。このため、以下の説明では、Ｉ／Ｆ部２１０Ａと信号処理部２２０Ａとについて説明し、Ｉ／Ｆ部２１０Ｂと信号処理部２２０Ｂとの説明は省略する。
【００１９】
Ｉ／Ｆ部２１０Ａは、ＭＨＬケーブル１７０Ａを介して携帯機器１００Ａに接続している。Ｉ／Ｆ部２１０Ａは、ＭＨＬケーブル１７０Ａを介して携帯機器１００Ａから受信したＡＶデータとＣＢＵＳ制御コマンドとを信号処理部２２０Ａに渡す。また、Ｉ／Ｆ部２１０Ａは、信号処理部２２０Ａから受信したＣＢＵＳ制御コマンドを、ＭＨＬケーブル１７０Ａを介して携帯機器１００Ａに送信する。なお、携帯機器１００ＡとＩ／Ｆ部２１０Ａとを接続するケーブルをＭＨＬケーブル１７０Ａと表記し、携帯機器１００ＢとＩ／Ｆ部２１０Ｂとを接続するケーブルをＭＨＬケーブル１７０Ｂと表記する。
【００２０】
信号処理部２２０Ａは、分離処理部２２１Ａと、データ変換部（コマンド変換部）２２２Ａとを備える。
分離処理部２２１Ａは、Ｉ／Ｆ部２１０Ａと、データ変換部２２２Ａとに接続している。また、分離処理部２２１Ａは、プロジェクター３００のＨＤＭＩ端子３７２Ａと、ＨＤＭＩケーブル２５０Ａにより接続されている。なお、分離処理部２２１Ｂは、プロジェクター３００のＨＤＭＩ端子３７２Ｂと、ＨＤＭＩケーブル２５０Ｂにより接続されている。
分離処理部２２１Ａは、Ｉ／Ｆ部２１０Ａを介して入力したＣＢＵＳ制御コマンドと、ＡＶデータとを分離する。分離処理部２２１Ａは、分離したＣＢＵＳ制御コマンドをデータ変換部２２２Ａに渡す。また、分離処理部２２１Ａは、処理後のＡＶデータを、ＨＤＭＩケーブル２５０Ａを介してプロジェクター３００に送信する。
また、分離処理部２２１Ａは、データ変換部２２２ＡからＣＢＵＳ制御信号を受け取ると、受け取ったＣＢＵＳ制御コマンドを、Ｉ／Ｆ部２１０Ａを介して携帯機器１００Ａに送信する。
【００２１】
データ変換部２２２Ａは、プロジェクター３００のシリアル信号端子３７１Ａに、シリアル通信回線２６０Ａにより接続されている。同様に、データ変換部２２２Ｂは、プロジェクター３００のシリアル信号端子３７１Ｂに、シリアル通信回線２６０Ｂにより接続されている。
データ変換部２２２Ａは、分離処理部２２１ＡからＣＢＵＳ制御コマンドを入力する。データ変換部２２２Ａは、ＣＢＵＳ制御コマンドを、プロジェクター３００のコマンド仕様に対応した制御コマンド（以下、プロジェクター対応コマンドという）に変換するための変換テーブル（不図示）を記憶している。また、データ変換部２２２Ａは、プロジェクター対応コマンドを、ＣＢＵＳ制御コマンドに変換するための変換テーブル（不図示）を記憶している。データ変換部２２２Ａは、分離処理部２２１Ａから入力したＣＢＵＳ制御コマンドを、変換テーブルを参照してプロジェクター対応コマンドに変換する。データ変換部２２２Ａは、変換したプロジェクター対応コマンドを、シリアル通信回線２６０Ａを介してプロジェクター３００に出力する。
また、データ変換部２２２Ａは、プロジェクター３００からシリアル通信回線２６０Ａを介してプロジェクター対応コマンドを受信すると、受信したプロジェクター対応コマンドを、変換テーブルを参照してＣＢＵＳ制御コマンドに変換する。データ変換部２２２Ａは、変換したＣＢＵＳ制御コマンドを分離処理部２２１Ａに渡す。
【００２２】
携帯機器１００から送信されるＣＢＵＳ制御コマンドと、プロジェクター３００から送信されるプロジェクター対応コマンドとは、互換性のないコマンドである。そこで、データ変換部２２２Ａは、携帯機器１００から送信されるＣＢＵＳ制御コマンドを、プロジェクター３００が動作可能なプロジェクター対応コマンドに変換する。同様に、データ変換部２２２Ａは、プロジェクター３００から送信されるプロジェクター対応コマンドを、携帯機器１００が動作可能なＣＢＵＳ制御コマンドに変換する。
【００２３】
具体的には、データ変換部２２２Ａは、プロジェクター３００から受信した所定数のプロジェクター対応コマンドを、所定数とは異なる数のＣＢＵＳ制御コマンドに変換して携帯機器１００Ａに送信する。例えば、プロジェクター３００の備えるリモコン３５０（図６参照）が操作され、ＡＶデータの再生を停止させる制御コマンド（以下、再生停止コマンドと呼ぶ）がリモコン３５０からプロジェクター３００に送られたとする。プロジェクター３００は、この再生停止コマンドをプロジェクター対応コマンドとして接続装置２００に送信する。この再生停止コマンドは、１つの制御コマンドで映像と音声とを両方ともオフさせるコマンドであるとする。データ変換部２２２Ａは、プロジェクター３００から再生停止コマンドを受信した場合に、映像データを停止させるＣＢＵＳ制御コマンドと、音声データを停止させるＣＢＵＳ制御コマンドとを生成する。すなわち、データ変換部２２２Ａは、１つのプロジェクター対応コマンドから、複数のＣＢＵＳ制御コマンドを生成する。データ変換部２２２Ａは、生成したそれぞれのＣＢＵＳ制御コマンドを分離処理部２２１Ａに渡す。各ＣＢＵＳ制御コマンドは、分離処理部２２１ＡからＩ／Ｆ部２１０Ａに渡され、Ｉ／Ｆ部２１０Ａにより携帯機器１００Ａに送信される。
また、データ変換部２２２Ａは、携帯機器１００Ａから受信した所定数のＣＢＵＳ制御コマンドを、所定数とは異なる数のプロジェクター対応コマンドに変換して、プロジェクター３００に送信する。
例えば、プロジェクター３００のＡＶミュート（映像と音声のミュート）中に、データ変換部２２２Ａが、携帯機器１００から送信された、ボリュームダウン又はボリュームアップを指示するコマンドを受信したとする。この場合、データ変換部２２２Ａは、プロジェクター３００のＡＶミュートを解除するコマンドと、ボリュームダウン又はボリュームアップを指示するコマンドとをプロジェクター３００に送信する。
また、プロジェクター３００のＡＶミュート中に、データ変換部２２２Ａが、携帯機器１００から接続通知コマンドを受信したとする。この場合、データ変換部２２２Ａは、プロジェクター３００のＡＶミュートを解除するコマンドと、プロジェクター３００の入力ソースを切り替える切替コマンドとをプロジェクター３００に送信する。切替コマンドは、プロジェクター３００に表示中の、例えば、パーソナルコンピューターやビデオから送信されるＡＶデータを、接続通知コマンドを接続装置２００に送信した機器から送信されるＡＶデータに切り替えるコマンドである。
【００２４】
次に、図４に示すフローチャートを参照しながら分離処理部２２１の処理フローを説明する。なお、分離処理部２２１Ａと分離処理部２２１Ｂとは、同一の処理フローで動作し、分離処理部２２１Ａと分離処理部２２１Ｂとを区別する必要はないので、分離処理部２２１の処理として説明する。
分離処理部２２１は、まず、データを入力したか否かを判定する（ステップＳ１）。データ入力がない場合（ステップＳ１／ＮＯ）、分離処理部２２１は、データ入力があるまで待機する。分離処理部２２１は、データを入力した場合（ステップＳ１／ＹＥＳ）、入力したデータが携帯機器１００から受信したデータであるか否かを判定する（ステップＳ２）。携帯機器１００から受信したデータである場合（ステップＳ２／ＹＥＳ）、分離処理部２２１は、受信したデータを、ＣＢＵＳ制御コマンドとＡＶデータとに分離する。そして、分離処理部２２１は、分離したＣＢＵＳ制御コマンドをデータ変換部２２２に渡す。また、分離処理部２２１は、処理後のＡＶデータをプロジェクター３００に送信する（ステップＳ３）。
【００２５】
また、ステップＳ１で入力したデータが携帯機器１００から受信したデータではなかった場合（ステップＳ２／ＮＯ）、分離処理部２２１は、入力したデータが、データ変換部２２２から入力したデータであるか否かを判定する（ステップＳ４）。入力したデータが、データ変換部２２２から入力したデータであった場合（ステップＳ４／ＹＥＳ）、分離処理部２２１は、入力したデータをＩ／Ｆ部２１０に渡して（ステップＳ５）、携帯機器１００に送信する。また、入力したデータが、データ変換部２２２から入力したデータではなかった場合（ステップＳ４／ＮＯ）、分離処理部２２１は、このフローを終了させる。
【００２６】
次に、図５に示すフローチャートを参照しながらデータ変換部２２２の処理フローについて説明する。なお、データ変換部２２２Ａとデータ変換部２２２Ｂとは、同一の処理フローで動作し、データ変換部２２２Ａとデータ変換部２２２Ｂとを区別する必要はないので、データ変換部２２２の処理として説明する。
データ変換部２２２は、まず、データを入力したか否かを判定する（ステップＳ１１）。データ入力がない場合（ステップＳ１１／ＮＯ）、データ変換部２２２は、データ入力があるまで待機する。データ変換部２２２は、データを入力した場合（ステップＳ１１／ＹＥＳ）、入力したデータは、分離処理部２２１から渡されたＣＢＵＳ制御コマンドであるか否かを判定する（ステップＳ１２）。ＣＢＵＳ制御コマンドであると判定すると（ステップＳ１２／ＹＥＳ）、データ変換部２２２は、変換テーブルを参照して、ＣＢＵＳ制御コマンドをプロジェクター対応コマンドに変換する（ステップＳ１３）。そして、データ変換部２２２は、変換したプロジェクター対応コマンドをプロジェクター３００に送信する。
【００２７】
また、入力したデータがＣＢＵＳ制御コマンドではなかった場合（ステップＳ１２／ＮＯ）、データ変換部２２２は、入力したデータがプロジェクター対応コマンドであるか否かを判定する（ステップＳ１５）。入力したデータがプロジェクター対応コマンドであると判定すると（ステップＳ１５／ＹＥＳ）、データ変換部２２２は、変換テーブルを参照して、プロジェクター対応コマンドをＣＢＵＳ制御コマンドに変換する（ステップＳ１６）。そして、データ変換部２２２は、変換したＣＢＵＳ制御コマンドを分離処理部２２１に渡す（ステップＳ１７）。ＣＢＵＳ制御コマンドは、分離処理部２２１からＩ／Ｆ部２１０に渡され、Ｉ／Ｆ部２１０から携帯機器１００に送信される。また、データ変換部２２２は、入力したデータがプロジェクター対応コマンドではなかった場合（ステップＳ１５／ＮＯ）、この処理フローを終了させ、他の制御に移行する。
【００２８】
次に、プロジェクター３００について図６を参照しながら説明する。
図６に示すプロジェクター３００は、入力系統として、入出力部３７０Ａと、入出力部３７０Ｂと、入出力部３８０とを備えている。入出力部３７０Ａは、シリアル信号端子３７１Ａと、ＨＤＭＩ端子３７２Ａとを備えている。入出力部３７０Ｂは、シリアル信号端子３７１Ｂと、ＨＤＭＩ端子３７２Ｂとを備えている。入出力部３８０は、アナログ映像信号入力端子３８１を備えている。シリアル信号端子３７１Ａは、シリアル通信回線２６０Ａに接続すると共に、シリアル信号送受信部３４１に接続している。シリアル信号端子３７１Ｂは、シリアル通信回線２６０Ｂに接続すると共に、シリアル信号送受信部３４１に接続している。ＨＤＭＩ端子３７２Ａは、ＨＤＭＩケーブル２５０Ａに接続すると共に、ＨＤＭＩレシーバー３４２に接続している。ＨＤＭＩ端子３７２Ｂは、ＨＤＭＩケーブル２５０Ｂに接続すると共に、ＨＤＭＩレシーバー３４２に接続している。また、アナログ映像信号入力端子３８１は、画像処理部３２１に接続している。
【００２９】
シリアル信号送受信部３４１は、シリアル信号端子３７１Ａ、３７１Ｂにそれぞれ接続すると共に、制御部３１０に接続している。シリアル信号送受信部３４１は、シリアル通信回線２６０Ａ又はシリアル通信回線２６０Ｂを介して接続装置２００から送信されたシリアル信号を受信する。シリアル信号送受信部３４１は、シリアル信号からプロジェクター対応コマンドを取り出して、制御部３１０に渡す。また、シリアル信号送受信部３４１は、制御部３１０から渡されたプロジェクター対応コマンドをシリアル信号に変換して、変換したシリアル信号をシリアル通信回線２６０Ａ又はシリアル通信回線２６０Ｂを介して接続装置２００に送信する。
【００３０】
ＨＤＭＩレシーバー３４２は、ＨＤＭＩ端子３７２Ａ、３７２Ｂにそれぞれ接続すると共に、画像処理部３２１に接続している。ＨＤＭＩレシーバー３４２は、ＨＤＭＩケーブル２５０Ａ又はＨＤＭＩケーブル２５０Ｂを介して接続装置２００から送信されたＡＶデータを受信する。ＨＤＭＩレシーバー３４２は、受信したＡＶデータを画像処理部３２１に渡す。
【００３１】
入出力部３８０は、アナログ映像信号入力端子３８１を備え、アナログ映像信号入力端子３８１に接続した映像ソース機器から送信されるアナログ映像信号を入力する。入出力部３８０で入力されたアナログ映像信号は、画像処理部３２１に出力される。
なお、図３及び図６には、入出力部３８０に、映像ソース機器を接続した状態は示していないが、例えば、アナログ映像信号出力端子を備える映像ソース機器が入出力部３８０に接続可能である。
【００３２】
ここで、プロジェクター３００に表示させるＡＶデータの切り替え処理について説明する。
例えば、図３に示す携帯機器１００Ａが、携帯機器１００Ａのメモリー１１０に記録されたＡＶデータを再生しながら、再生中のＡＶデータをプロジェクター３００に送信してプロジェクター３００によりスクリーンＳＣに表示させているものとする。この状態で、図３に示す携帯機器１００Ｂの操作部１５０が操作され、携帯機器１００Ｂのメモリー１１０に記録されたＡＶデータの再生要求を携帯機器１００Ｂの操作部１５０で受け付けたとする。携帯機器１００Ｂは、受け付けた再生要求をＣＢＵＳ制御コマンドに変換して接続装置２００に送信する。接続装置２００は、携帯機器１００Ｂから受信したＣＢＵＳ制御コマンドを、信号処理部２２０Ｂでプロジェクター対応コマンドに変換して、プロジェクター３００に送信する。再生要求のＣＢＵＳ制御コマンドを受信したプロジェクター３００の制御部３１０（図６参照）は、まず、ＡＶデータの再生を停止させる指示を携帯機器１００Ａに通知する。制御部３１０は、ＡＶデータの再生を停止させるプロジェクター対応コマンドをシリアル信号送受信部３４１に渡す。シリアル信号送受信部３４１は、制御部３１０から渡されたプロジェクター対応コマンドを、シリアル通信回線２６０Ａを介して接続装置２００に送る。接続装置２００の信号処理部２２０Ａは、受信したプロジェクター対応コマンドをＣＢＵＳ制御コマンドに変換して、携帯機器１００Ａに送信する。ＡＶデータの再生を停止させるＣＢＵＳ制御コマンドを受信した携帯機器１００Ａは、ＡＶデータの再生と、ＡＶデータのプロジェクター３００への送信とを停止する。
次に、プロジェクター３００の制御部３１０は、信号を入出力する入出力部を、入出力部３７０Ａから入出力部３７０Ｂに変更する。すなわち、入出力部３７０Ｂから入力する信号を有効な信号とし、入出力部３７０Ａから入力する信号は無効にする。そして、制御部３１０は、携帯機器１００Ｂと制御コマンドの送受信を行って、携帯機器１００Ｂに、ユーザーによって選択されたＡＶデータを再生させ、再生中のＡＶデータをプロジェクター３００に送信させる。プロジェクター３００は、携帯機器１００Ｂから受信したＡＶデータを映像処理してスクリーンＳＣに表示させる。
【００３３】
次に、プロジェクター３００の画像処理系について説明する。
プロジェクター３００は、大きく分けて光学的な画像の形成を行う投射部３３０と、投射部３３０により表示する画像を電気的に処理する画像処理系と、を備える。投射部３３０は、光源部３３１、光変調装置３３２、及び投射光学系３３３から構成されている。光源部３３１は、光源として、キセノンランプや超高圧水銀ランプ等の放電管を備えている。光源部３３１は、放電管が発した光を光変調装置３３２に導くリフレクター及び補助リフレクターを備えていてもよい。また、光源部３３１は、投射光の光学特性を高めるためのレンズ群（不図示）、偏光板、光源が発した光の光量を光変調装置３３２に至る経路上で低減させる調光素子等を備えていてもよい。
光変調装置３３２は、光源部３３１から射出された光を画像データに基づいて変調する変調手段に相当する。光変調装置３３２は、例えば、ＲＧＢの各色に対応した３枚の透過型または反射型の液晶ライトバルブを用いた方式、３枚のデジタルミラーデバイスを用いた方式等により構成される。また、光変調装置３３２は、光源が発した白色光に含まれる光のうちＲＧＢの光を透過するカラーホイールと、１枚のデジタルミラーデバイス（ＤＭＤ）とを組み合わせたＤＭＤ方式を採用してもよい。
本実施形態では、光変調装置３３２を、液晶ライトバルブを用いた構成とする。この光変調装置３３２は、複数の画素をマトリクス状に配置した透過型液晶パネルを備え、これら複数の画素により画像を形成し、放電管が発した光を変調する。光変調装置３３２は、後述する光変調装置駆動部３２３によって駆動され、マトリクス状に配置された各画素における光の透過率を変化させることにより、画像を形成する。
【００３４】
投射光学系３３３は、投射する画像の拡大・縮小および焦点の調整を行うレンズ群、ズームの度合いを調整するズーム調整用モーター、フォーカスの調整を行うフォーカス調整用モーター等を備えている。投射光学系３３３は、光変調装置３３２で変調された光（画像光）をスクリーンＳＣに投射し、レンズ群を用いてスクリーンＳＣ上に結像させる。
投射部３３０には、制御部３１０の制御に従って投射光学系３３３が備える各モーターを駆動する投射光学系駆動部３２４、及び、制御部３１０の制御に従って光源部３３１が備える光源を駆動する光源駆動部３２５が接続されている。
【００３５】
画像処理系は、プロジェクター３００全体を統合的に制御する制御部３１０を中心に構成される。この画像処理系は、記憶部３０１、入力処理部３０２、画像処理部３２１、及び、光変調装置駆動部３２３を備えている。
記憶部３０１は、制御部３１０が処理するデータや、制御部３１０が実行するプログラム等を記憶する。
入力処理部３０２は、操作パネル３５１及びリモコン受光部３５２を介した操作を検出して、検出した操作に対応する操作信号を制御部３１０に出力する。
画像処理部３２１は、制御部３１０の制御に従って、入力したＡＶデータのうちの映像データを処理する。画像処理部３２１は、入力した映像データに基づいてフレームメモリー３２２にフレーム毎の画像を描画し、描画した画像を表示するための画像信号を生成して光変調装置駆動部３２３に出力する。光変調装置駆動部３２３は、画像処理部３２１から出力される画像信号に基づいて光変調装置３３２を駆動して描画を行う。
【００３６】
制御部３１０は、記憶部３０１に記憶された制御プログラムを読み出して実行することにより、プロジェクター３００の各部を制御する。制御部３１０は、入力処理部３０２から入力される操作信号に基づいて、ユーザーが行った操作の内容を検出する。制御部３１０は、検出した操作に対応して、画像処理部３２１、光変調装置駆動部３２３、投射光学系駆動部３２４及び光源駆動部３２５を制御して、スクリーンＳＣに映像を投射させる。
【００３７】
プロジェクター３００の本体には、ユーザーが操作を行うための各種スイッチ及びインジケーターランプを備えた操作パネル３５１が配置されている。操作パネル３５１は入力処理部３０２に接続されている。操作パネル３５１のスイッチが操作されると、操作されたスイッチに対応する操作信号が入力処理部３０２から制御部３１０に出力される。また、入力処理部３０２は、制御部３１０の制御に従い、プロジェクター３００の動作状態や設定状態に応じて操作パネル３５１のインジケーターランプを適宜点灯或いは点滅させる。
プロジェクター３００は、ユーザーが操作するリモコン３５０を有する。リモコン３５０は各種のボタンを備えており、これらのボタンの操作に対応して赤外線信号を送信する。プロジェクター３００の本体には、リモコン３５０が発する赤外線信号を受光するリモコン受光部３５２が配置されている。リモコン受光部３５２は、リモコン３５０から受光した赤外線信号をデコードして、リモコン３５０における操作内容を示す操作信号を生成し、制御部３１０に出力する。
【００３８】
記憶部３０１には、上記の制御プログラムやデータが記憶される。データには、例えば、操作パネル３５１やリモコン３５０の操作によって設定された設定データが含まれる。
【００３９】
制御部３１０は、記憶部３０１に記憶された制御プログラムを実行して、投射制御部３１１と、設定処理部３１２として機能する。
投射制御部３１１は、画像処理部３２１、光変調装置駆動部３２３、投射光学系駆動部３２４、及び光源駆動部３２５を制御して、入力した映像データに基づく画像をスクリーンＳＣに投射させる。リモコン３５０の操作によって、設定画面中の設定項目を選択し、各設定項目の内容を決定できる。設定処理部３１２は、リモコン３５０の操作により決定された内容を取得して、取得した内容を設定データとして記憶部３０１に記憶させる。
【００４０】
以上詳細に説明したように本実施形態の接続装置２００は、ＨＤＭＩ端子３７２を含む複数の映像入力系統を備えるプロジェクター３００と、映像ソース機器としての携帯機器１００とを接続する装置であり、Ｉ／Ｆ部２１０とデータ変換部２２２とを備える。
Ｉ／Ｆ部２１０は、プロジェクター３００の複数のＨＤＭＩ端子３７２に対応して複数設けられている。データ変換部２２２は、携帯機器１００から受信した、携帯機器１００が対応可能な制御コマンドである所定数のＣＢＵＳ制御コマンドを、プロジェクター３００が対応可能な制御コマンドであって所定数とは異なる数のプロジェクター対応コマンドに変換する。そして、データ変換部２２２は、変換したプロジェクター対応コマンドをプロジェクター３００に送信する。また、データ変換部２２２は、プロジェクター３００から受信した所定数のプロジェクター対応コマンドを、所定数とは異なる数のＣＢＵＳ制御コマンドに変換して、Ｉ／Ｆ部２１０を介して携帯機器１００に送信する。
本実施形態の接続装置２００によれば、携帯機器１００から送信されるＣＢＵＳ制御コマンドを、プロジェクター３００が対応可能なプロジェクター対応コマンドに変換してプロジェクター３００に送信することができる。従って、携帯機器１００に対応した制御コマンドと互換性のある制御コマンドに対応していないプロジェクター３００であっても、携帯機器１００の制御コマンドにより制御することができる。
また、プロジェクター３００から送信されるプロジェクター対応コマンドを、携帯機器１００が対応可能なＣＢＵＳ制御コマンドに変換して携帯機器１００に送信することができる。従って、プロジェクター３００は、プロジェクター対応コマンドにより携帯機器１００を制御することができる。
【００４１】
また、本実施形態の接続装置２００は、シリアル通信回線２６０によりプロジェクター３００に接続され、データ変換部２２２は、プロジェクター３００とシリアル通信回線２６０を介してプロジェクター対応コマンドの送受信を行う。
本実施形態の接続装置２００によれば、プロジェクター３００に搭載された既存のインターフェイスでプロジェクター対応コマンドの送受信を行うことも可能となる。また、シリアル通信回線２６０を利用するため、信号線の本数を削減することができる。
【００４２】
また、本実施形態は、Ｉ／Ｆ部２１０が、ＭＨＬ規格に準拠したインターフェイスである。本実施形態の接続装置２００によれば、携帯機器１００に記憶された映像データを、プロジェクター３００に送信して、スクリーンＳＣに表示することができる。
【００４３】
上述した実施形態は、本発明の好適な実施の形態である。但し、これに限定されるものではなく、本発明の要旨を逸脱しない範囲内において種々の変形実施が可能である。
例えば、上述の実施形態では、接続装置２００とプロジェクター３００との間で制御コマンドを送受信するケーブルに、シリアル通信回線２６０を用いた。これ以外に、ＵＳＢ（Universal Serial Bus）や、無線ＬＡＮ（Local Area Network）を用いて、制御コマンドの送受信を行ってもよい。
【符号の説明】
【００４４】
１…画像表示システム、１００…携帯機器（映像ソース機器）、１１０…メモリー、１２０…制御部、１３０…通信部、１４０…表示部、１５０…操作部、１６０…音声出力部、１７０…ＭＨＬケーブル、２００…接続装置、２１０…Ｉ／Ｆ部、２２０…信号処理部、２２１…分離処理部、２２２…データ変換部（コマンド変換部）、２５０…ＨＤＭＩケーブル、２６０…シリアル通信回線、３００…プロジェクター、３４１…シリアルＩ／Ｆ、３４２…ＨＤＭＩレシーバー、３７０…入出力部、３７１…シリアル信号端子、３７２…ＨＤＭＩ端子。
【図１】
2015095773.tif 000003
【図２】
2015095773.tif 000004
【図３】
2015095773.tif 000005
【図４】
2015095773.tif 000006
【図５】
2015095773.tif 000007
【図６】
2015095773.tif 000008